(57)【要約】      （修正有）【課題】低コストで、短い工期で設置可能であり、取り換え可能な増設部屋を提供する。【解決手段】増設部屋１は、床と、床に対して垂直方向に延設され、接続対象である家屋５０の既存窓５２と連通される一面に接続開口部を有する側壁と、側壁が支える屋根を有し、接続開口部には、既存窓の周囲に配置された家屋の構造躯体と接合される接続枠が配置されている。【選択図】図１
2019100060.tif 000002
【特許請求の範囲】
【請求項１】
床と、
前記床に対して垂直方向に延設され、接続対象である家屋の既存窓と連通される一面に接続開口部を有する側壁と、
前記側壁が支える屋根を有し、
前記接続開口部には、前記既存窓の周囲に配置された前記家屋の構造躯体と接合される接続枠が配置されていることを特徴とする着脱可能な増設部屋。
【請求項２】
前記接続枠は前記家屋と接続される側に突き当て接続面を有し、前記突き当て接続面の反対側に外部からアクセス可能な締結空間を有することを特徴とする請求項１に記載された着脱可能な増設部屋。
【請求項３】
前記接続枠の前記突き当て接続面にはスペーサが配置されていることを特徴とする請求項１または２の何れかの請求項に記載された着脱可能な増設部屋。
【請求項４】
前記床と、側壁と、屋根の少なくとも一部に断熱材が配置されていることを特徴とする請求項１乃至３の何れか一の請求項に記載された着脱可能な増設部屋。
【請求項５】
前記側壁には電気ソケットが設けられていることを特徴とする請求項１乃至４の何れか一の請求項に記載された着脱可能な増設部屋。
【発明の詳細な説明】
【技術分野】
【０００１】
本発明はすでに建設された家屋の床面積を増加させるために、家屋に追加的に接続される増設部屋に関するものであって、主として庭のある木造の家屋に着脱可能に設置される増設部屋に関するものである。
【背景技術】
【０００２】
戸建住宅などの家屋では、床面積を増やしたい場合に増築が可能な場合がある。しかし、増築は大規模な基礎の追加施工や、既設の家屋の壁の一部を取り壊す等、大きな工事が必要となる。したがって、建設期間も数週間を必要とする。増やしたい床面積が大きく、また増築部分をほぼ家屋の寿命まで使用するといった場合は、このような増築を行うことに問題はないと考えられる。
【０００３】
しかし、増やしたい床面積が比較的狭い場合であって、数年から十数年程度で撤去若しくは別の空間に変更したい場合は、増築では費用が掛かりすぎる。つまり、低コストで、短い工期で設置可能であり、取り換え可能な増設部屋の要求がある。
【０００４】
建築体同士を接続させて空間を増やすという観点の発明はこれまでいくつか開示されている。特許文献１には、中高層集合住宅を短期間で建築するための構造が開示されている。ここでは、予め必要な階数分の枠構造を建設しておき、工場で作製した住宅ユニットを現地まで運び、現地で住宅ユニット同士を連結させて、枠構造に挿入する集合住宅の構造が示されている。
【０００５】
また、特許文献２では、隣接する住宅ユニットの一対の床パネルに跨る大きな開口面積の床開口を、ユニット割りを特に変更することなく容易に設けることを可能にする連続床開口の施工方法が開示されている。
【先行技術文献】
【特許文献】
【０００６】
【特許文献１】特公昭５２−１２４８６号公報
【特許文献２】特開２００５−２４０４７７号公報
【発明の概要】
【発明が解決しようとする課題】
【０００７】
特許文献１および２の場合も、住宅を部分に分けてこれらを接合することで１つの住宅を形成するものである。したがって、これらは一度組み上げられると、その住宅を取り壊すまで分解されることはない。したがって、着脱可能な増設部屋を提供するものではない。
【課題を解決するための手段】
【０００８】
本発明は上記の課題に鑑みて想到されたものであり、低コストで短期間の工事によって床面積を増やす着脱可能な増設部屋を提供するものである。
【０００９】
より具体的に本発明に係る着脱可能な増設部屋は、
床と、
前記床に対して垂直方向に延設され、接続対象である家屋の既存窓と連通される一面に接続開口部を有する側壁と、
前記側壁が支える屋根を有し、
前記接続開口部には、前記既存窓の周囲に配置された前記家屋の構造躯体と接合される接続枠が配置されていることを特徴とする。
【発明の効果】
【００１０】
本発明に係る着脱可能な増設部屋は、予め工場で作製した増設部屋を運搬し、家屋の既存窓の障子部分を外して開放し、接合するだけであるので、数日で工事が終了する。したがって、短期間の工事で設置することができる。
【００１１】
また、着脱可能な増設部屋と家屋との接合はボルト締結で行われ、また既存の窓枠を残す。そのため家屋に対する改装の程度も非常に少ない。そのため、増設部屋が不要となった場合も、短期間の工事で脱着することが可能であり、再度元の家屋として使用することができる。また、工事期間が短期であるので、他の形状の増設部屋との交換も短期間の工事で行うことができる。
【００１２】
さらに、着脱可能な増設部屋の屋根、側壁、床には断熱材が配置されて、電気ソケットも配置することが可能であるので、接続対象となった家屋の居住環境を維持し、家屋の居室の一部として機能することができる。
【図面の簡単な説明】
【００１３】
【図１】本発明に係る増設部屋が家屋に接続される様子を示す図である。
【図２】接続対象となる家屋の既存窓の周囲の構造を示す図である。
【図３】本発明に係る増設部屋の構成を示す図である。
【図４】増設部屋の基本構造躯体の例示である。
【図５】増設部屋を取り付ける手順を示す図である。
【図６】増設部屋と家屋の接続部の側方断面図である。
【図７】図６の部分拡大図である。
【図８】増設部屋と家屋の接合部の水平方向断面図である。
【発明を実施するための形態】
【００１４】
以下に本発明に係る増設部屋について図面を示し説明を行う。なお、以下の説明は、本発明の一実施形態を例示するものであり、本発明が以下の説明に限定されるものではない。以下の説明は本発明の趣旨を逸脱しない範囲で改変することができる。
【００１５】
図１に本発明に係る増設部屋１と接続される家屋５０の関係を示す。図１（ａ）は増設部屋１を家屋５０に接続する前の状態であり、図１（ｂ）は、増設部屋１を家屋５０に接続した後の状態を示す。どちらの図も接続状態が良く理解できるように増設部屋１の屋根は省略している。
【００１６】
本発明に係る増設部屋１は、工場などで予め組み立てられ、コンテナやトラックで設置場所に運び、対象家屋５０に接続する。本発明に係る増設部屋１は、家屋５０の既存窓５２に接続される。ここで既存窓５２とは、家屋５０に増設部屋１が接続される前から家屋５０に形成されていた窓を言う。
【００１７】
接続される既存窓５２は、増設部屋１が接続された後は、家屋５０と増設部屋１の出入口として使用される。したがって、人が出入りできるほどの大きさの既存窓５２を利用するのが望ましい。例えば、家屋５０内から庭やテラスに出ることができる引き違い窓（掃き出し窓等）であって、横幅が１０００ｍｍ以上、高さが１８００ｍｍ以上のサッシ窓が好適に利用できる。また、玄関を接続対象の家屋５０の既存窓５２としてもよい。
【００１８】
図２は家屋５０を外部から見た図である。既存窓５２の周囲は家屋５０の外壁５８ｏ（図７参照）である。既存窓５２の外壁５８ｏ内部の構造は点線で示す。既存窓５２は、上下に複数のレールを形成した長方形の窓枠５２ｆに、障子５２ｇと呼ばれるガラス戸がレール毎に嵌合されている。障子５２ｇがレール上を移動することで家屋５０の既存窓５２の開閉が行われる。
【００１９】
家屋５０の既存窓５２の周囲には窓枠５２ｆを固定するための構造躯体５６が配置されている。ここで構造躯体５６とは、家屋５０を形成する際の構造となる部材のことであり、縦方向および横方向に配置された柱、間柱、梁、桁、胴差し等の棒状の部材である。また、構造躯体５６は、木造枠組壁工法で言うところの壁パネルであってもよい。窓枠５２ｆはこの構造躯体５６に固定されている。言い換えると、窓枠５２ｆの周囲には構造躯体５６が配置されている。ここでは、木造軸組工法を例として説明を続ける。
【００２０】
既存窓５２の左右には縦方向に２本の柱若しくは間柱が配置されている。これらを柱材５６ａと呼ぶ。また既存窓５２の上部には、窓まぐさ若しくは長押し等が配置されている。これらを梁材５６ｂと呼ぶ。また、既存窓５２の下部は窓台、根太若しくは土台等が配置されている。これらを土台材５６ｃと呼ぶ。柱材５６ａ、梁材５６ｂ、土台材５６ｃは、構造躯体５６である。通常これらの構造躯体５６は、家屋５０の外壁５８ｏおよび内壁５８ｉ（図７参照）によって隠されている。なお、本明細書では外壁５８ｏおよび内壁５８ｉは、それぞれの表面に配置される仕上げ材を含んでよい。本発明に係る増設部屋１は、外壁５８ｏを介してこれらの構造躯体５６と接合する。
【００２１】
図３には、増設部屋１の正面図（図３（ａ））、平面図（図３（ｂ））、側面図（図３（ｃ））および斜視図（図３（ｄ））を示す。正面図は、家屋５０に接続されない側Ａ（図３（ｄ）参照）から見たものである。なお、図３（ｄ）は屋根１４を省略している。増設部屋１は、床１０と側壁１２と屋根１４を有する。床１０は、増設部屋１での床面となる。なお、床１０は図３（ｄ）で見えている。床１０は通常は平面視で長方形であるが、特に長方形に限定されるものではなく、円形や一部曲線形状等が含まれていてもよい。床１０の底面には、予め支持脚１０ｓが設けられていてもよい。なお、床１０は、一部が抜けていてもよい。
【００２２】
側壁１２は床１０に対して垂直方向に延設される。いわゆる壁体である。なお、ここでいう垂直方向は、垂直方向成分を有していればよく、鉛直方向に対して傾斜していてもよい。また、側壁１２は床１０を囲うように形成されるので、床１０が平面視で直線でない部分があれば、その部分の側壁１２は平面でなくてもよい。図２では、正面図（図３（ａ））において正面に見える側壁１２は全面ガラス窓となっている。
【００２３】
側壁１２の一面には、家屋５０との出入口となる開口が設けられている。これを接続開口部１２ｏと呼ぶ。接続開口部１２ｏと家屋５０の既存窓５２が接続されることで、増設部屋１と家屋５０は連通される。つまり、側壁１２は平面視した際の床１０を囲うように形成されるが、一部に側壁１２が設けられていない部分（接続開口部１２ｏ）がある。図３では、床１０は長方形であり、長辺と１つの短辺に側壁１２が形成されている。残りの短辺は側壁１２に当たる部分が接続開口部１２ｏとなっている。
【００２４】
また、増設部屋１には側壁１２が支える屋根１４が配置される（図３（ｄ）は省略している。）。結果、増設部屋１は、直方体の箱を横置きにし、床１０の短辺の１つの辺に接する壁体を抜いた形状をしている。側壁１２および屋根１４には、窓が形成されていてもよい。これらの窓は、増設部屋１が接続される家屋５０の既存窓５２と区別するため、「増設部屋窓１６」と呼ぶ。
【００２５】
増設部屋１は、家屋５０が有するのと同等の断熱性能を持たせることが望ましい。増設部屋１から簡単に熱の出入りがあったのでは、家屋５０全体のヒートコントロールに欠陥が発生し、十分な生活空間を維持できないからである。そこで、増設部屋１の床１０、側壁１２、屋根１４、増設部屋窓１６は、断熱性の高い処理を施す。具体的には、床１０、側壁１２、屋根１４には断熱材を設置するのが望ましい。それぞれに配置される断熱材を断熱材１０ｖ、断熱材１２ｖ、断熱材１４ｖと呼ぶ。また、増設部屋窓１６は断熱窓（断熱ガラスや断熱構造を有する窓等）および断熱性を有するサッシまたは建具を用いる。
【００２６】
また、屋根１４、側壁１２、床１０には、電気ソケットやガス栓あるいは水道栓を設けてもよい。これらの配線・配管は屋根１４、側壁１２、床１０の中に配置される。このように少なくとも電気の配線が施されると居住環境としても家屋５０と同等にすることができる。
【００２７】
増設部屋１の接続開口部１２ｏには、接続枠１８が設けられる。図３では、接続開口部１２ｏは、増設部屋１の一方の側壁１２が全面に亘って接続開口部１２ｏとなっている。接続開口部１２ｏの周囲には接続枠１８が配置される。接続枠１８は増設部屋１と家屋５０を実際に接続固定する部分である。したがって、接続枠１８は増設部屋１と強固に結合されている必要がある。つまり、接続枠１８は、増設部屋１の基本構造躯体の一部として一体的に形成されているのがよい。
【００２８】
図４（ａ）に、増設部屋１の簡単な基本構造躯体を例示する。また、図４（ｂ）は、図４（ａ）の矢印Ｂから見た部分図である。接続開口部１２ｏに相当する部分にだけ予め接続枠１８を形成した金属製等の構造フレームを形成し、それに床１０、屋根１４、側壁１２（それぞれ括弧を付けて示した。）を形成するといった構造が考えられる。
【００２９】
接続枠１８は接続開口部１２ｏの周囲を囲うように形成されている。接続枠１８は、家屋５０（図１参照）側に平面を有する部材が接続開口部１２ｏの上下辺および左右辺に配置されることで形成されている。ここでは、接続枠１８の各部を、「屋根側接続枠１８ｕ」、「床側接続枠１８ｄ」、「側壁側接続枠１８ｓ」と呼ぶ。図４では、屋根側接続枠１８ｕ、床側接続枠１８ｄ、側壁側接続枠１８ｓは、連続して形成され一体の枠状体をしているが、これらは増設部屋１の基本構造躯体の一部に強固に接合若しくは接続されていれば、途中で切れていてもよい。
【００３０】
また、接続枠１８の家屋５０と接触する側の面を「突き当て接続面１８ａ」と呼ぶ。突き当て接続面１８ａも接続枠１８の各部毎に、応じて「屋根側突き当て接続面１８ａｕ」、「床側突き当て接続面１８ａｄ」、「側壁側突き当て接続面１８ａｓ」と呼ぶ。図４では、接続枠１８は断面長方形の角部材で形成されているが、これに限定されるものではない。
【００３１】
図４（ｂ）を参照して、接続枠１８の突き当て接続面１８ａの反対面（接続枠１８の増設部屋１側）も平面であることが望ましい。この面を「締結面１８ｂ」と呼ぶ。締結面１８ｂは、接続枠１８の増設部屋１側に所定の空間を有する。これを「締結空間１８ｒ」と呼ぶ。増設部屋１は家屋５０と接続枠１８を介してボルト締結される。したがって、ボルト締結するための作業空間が必要となるからである。
【００３２】
なお、締結面１８ｂおよび締結空間１８ｒも屋根１４側、床１０側、側壁１２側を区別する場合は、それぞれ「締結面１８ｂｕ」、「締結面１８ｂｄ」、「締結面１８ｂｓ」および「締結空間１８ｒｕ」、「締結空間１８ｒｄ」、「締結空間１８ｒｓ」としてよい。
【００３３】
この締結空間１８ｒは締結面１８ｂから増設部屋１側に向かって（矢印Ｃ方向）３０ｍｍ以上あればよい。図４では、接続枠１８は側壁１２および屋根１４より外側に突出しているので、締結面１８ｂから増設部屋１側に向かっては、制限のない空間となっている。したがって、十分な締結空間１８ｒを有していると言える。
【００３４】
締結空間１８ｒは、家屋５０との接続後も外部からアクセス可能に形成される必要がある。増設部屋１は、家屋５０から分離することを前提としているからである。外部からアクセス可能に形成されているとは、家屋５０および増設部屋１を移動させたり、どちらかの一部を破壊したりすることなく、外部からボルト締結を解除することが可能であることをいう。
【００３５】
たとえば、締結空間１８ｒを風雨から守るために板材等で増設部屋１と家屋５０の接続部２８（図６参照）に蓋を設ける等しても、締結空間１８ｒはアクセス可能に形成されている。蓋をした板材等を取り外せば、締結空間１８ｒを露出させることができるからである。
【００３６】
次に本発明に係る増設部屋１の設置手順を説明し、接続された状態の詳細説明を行う。図５は、増設部屋１の設置を順に示す流れ図である。図５（ａ）から図５（ｆ）に向かって工事が進む。増設部屋１を設置するための接続対象となる家屋５０の既存窓５２の外側には、増設部屋１を設置するだけの庭などの空き土地が必要である。これを「庭等」と呼ぶ。
【００３７】
まず、増設部屋１を支持するための支持脚１０ｓを支える基礎６０が配置される。この基礎６０は、鉄筋コンクリート、石材や鉄板等が好適に利用される。図５（ｂ）では、基礎６０上に支持脚１０ｓが配置されている。このように、支持脚１０ｓは、設置場所で設けられていてもよい。またすでに説明したように、工場で増設部屋１を組み立てる際に床１０（図３参照）の底面に支持脚１０ｓを設けておき、設置場所の基礎６０の上に支持脚１０ｓを載置してもよい。
【００３８】
次に家屋５０の既存窓５２の障子５２ｇを取り外す（図５（ｃ））。この際、窓枠５２ｆは残しておく。本発明に係る増設部屋１は、着脱可能に設置される。したがって、増設部屋１が不要になった場合は、増設部屋１を取り外し、障子５２ｇを窓枠５２ｆに入れ、家屋５０の既存窓５２として再び利用できるようにするためである。
【００３９】
次に増設部屋１を載置する（図５（ｄ））。この際には、接続枠１８（図４参照）と家屋５０の構造躯体５６（図２参照）がボルトで締結される。この締結の詳細は後述する。なお、図５（ｄ）は接続状態が理解しやすいように部分的に透明にして記載した。図５（ｅ）は、増設部屋１が家屋５０に接続された状態を示している。
【００４０】
なお、図５（ｃ）において、障子５２ｇを取り外して増設部屋１と家屋５０の出入り口としたが、障子５２ｇを取り去らずに、増設部屋１を設置してもよい。図５（ｆ）には、障子５２ｇを残したまま増設部屋１を設置した状態を示す。このような形態は例えば、増設部屋１を玄関等の拡張として使用する際などに利用できる。なお、図５（ｆ）は接続状態が理解しやすいように部分的に透明にして記載した。
【００４１】
図６は、家屋５０と増設部屋１の接続部２８の側方断面図である。図７は、図６のＤおよびＥの部分の拡大図である。家屋５０側は天井６２、床６４があり、天井６２の端部に垂れ壁６６が形成され、その下方に家屋５０の既存窓５２がある。家屋５０の既存窓５２の窓枠５２ｆは上下を梁材５６ｂおよび土台材５６ｃで固定されている。なお、窓枠５２ｆは外壁５８ｏに対して図７のｄだけ外側に張り出して形成されている。いわゆる半外付け型サッシである。
【００４２】
なお、家屋５０側の天井６２、床６４、垂れ壁６６には、新たな断熱材６２ｖ、断熱材６４ｖ、断熱材６６ｖを追加した状態を示している。しかし、そもそも家屋５０側が断熱構造を有している場合は、これらの新たな断熱材６２ｖ、６４ｖ、６６ｖは不要である。なお、垂れ壁６６は内壁５８ｉの一部である。
【００４３】
増設部屋１側は、屋根１４および床１０に断熱材１４ｖ、断熱材１０ｖが配置されている。また、増設部屋１側は、接続開口部１２ｏの屋根１４と床１０の外側に、接続枠１８が配置されている。図７では、屋根側接続枠１８ｕと、床側接続枠１８ｄの断面が見えている。屋根側接続枠１８ｕの突き当て接続面１８ａｕは梁材５６ｂに、床側接続枠１８ｄの床側突き当て接続面１８ａｄは土台材５６ｃに対向している。
【００４４】
そして、家屋５０の外壁５８ｏと屋根側接続枠１８ｕの突き当て接続面１８ａｕとの間に上部スペーサ２０ｕを配置した上で、梁材５６ｂと屋根側接続枠１８ｕをボルト締結２５する。この時、締結空間１８ｒ（１８ｒｕ、１８ｒｄ）はアクセス可能に形成されている。
【００４５】
なお、上部スペーサ２０ｕは外壁５８ｏの外側に飛び出している窓枠５２ｆと、接続枠１８の干渉を回避するために設けられる。また、この上部スペーサ２０ｕによって設けられる空間は増設部屋１と、家屋５０の間の電気配線およびガス配管のための空間として利用することもできる。
【００４６】
従って、上部スペーサ２０ｕ（後述する下部スペーサ２０ｄおよび側部スペーサ２０ｓを含み）は、予め増設部屋１の部品として組付けてあってもよい。これらのスペーサ２０は締結時における増設部屋１と家屋５０の間の干渉回避のための空間を確保するためのものであり、接続枠１８ほどの強度が無くてもよい。
【００４７】
また、増設部屋１の屋根１４の上部に、雨避け用の屋根カバー１４ｐを配置しておいてもよい。防水性を高めるためである。この屋根カバー１４ｐにより外部から締結空間１８ｒは見えなくなるが、屋根１４を破壊することなく、屋根カバー１４ｐは取り外すことができるので、締結空間１８ｒはアクセス可能に形成されていると言える。
【００４８】
屋根側接続枠１８ｕと梁材５６ｂの接続をより具体的に説明する。まず、垂れ壁６６の一部を除去し、梁材５６ｂを露出させ、家屋５０内から梁材５６ｂおよび外壁５８ｏを貫通する貫通孔を形成する。そして、上部スペーサ２０ｕを外壁５８ｏに配置した状態で、屋根側接続枠１８ｕの突き当て接続面１８ａｕを上部スペーサ２０ｕに当接させ、貫通孔から屋根側接続枠１８ｕの締結空間１８ｒｕまでボルトを挿設し、ナットで締結する。結果、少なくともボルトの頭とナットの間に、梁材５６ｂ、外壁５８ｏ、上部スペーサ２０ｕ、屋根側接続枠１８ｕが挟持される。なお、締結箇所は、屋根側接続枠１８ｕ上に複数箇所あってもよい。
【００４９】
床側接続枠１８ｄも同様に土台材５６ｃとボルトで締結される。なお、床側接続枠１８ｄと土台材５６ｃの締結には、家屋５０側の床６４を一部除去し、土台材５６ｃを露出させ、外壁５８ｏまで貫通する貫通孔を形成する必要がある。しかし、床６４の一部除去は容易な工事ではない。したがって、床側接続枠１８ｄと土台材５６ｃとの締結は、省略されてもよい。後述する側壁側接続枠１８ｓと柱材５６ａとの間でもボルト締結２５が行われる。そのため、増設部屋１と家屋５０との接続は十分な強度を保持できる。
【００５０】
図８は、増設部屋１と家屋５０の接続部２８の水平方向断面を表す。増設部屋１の側壁１２には断熱材１２ｖが配置されている。また側壁１２端部の外側には側壁側接続枠１８ｓの断面が見える。一方、家屋５０側は、窓枠５２ｆの両側縦部と、窓枠５２ｆを固定する柱材５６ａが見えている。柱材５６ａの外側は外壁５８ｏであり、室内側は内壁５８ｉである。内壁５８ｉの内側（室内側）にも断熱材５８ｉｖが配される。側壁側接続枠１８ｓの突き当て接続面１８ａｓは、外壁５８ｏを通して柱材５６ａと対向している。
【００５１】
側壁側接続枠１８ｓも図６および図７の場合と同様に、家屋５０と接続される。具体的には、家屋５０の内壁５８ｉの一部を除去し、柱材５６ａを露出させる。柱材５６ａと外壁５８ｏに貫通孔を形成し、側部スペーサ２０ｓを介して側壁側接続枠１８ｓの突き当て接続面１８ａｓを当接させ、ボルト締結２５する。
【００５２】
結果、ボルトの頭とナットの間には、少なくとも柱材５６ａ、外壁５８ｏ、側部スペーサ２０ｓ、側壁側接続枠１８ｓが挟持される。側部スペーサ２０ｓは上部スペーサ２０ｕ同様に外壁５８ｏから突設されている窓枠５２ｆと接続枠１８の干渉を回避するために設けられている。側壁側接続枠１８ｓにおいて、ボルト締結２５は複数箇所設けられてもよい。
【００５３】
このように、接続枠１８と家屋５０側の構造躯体５６との締結によって、増設部屋１と家屋５０は接続状態になる。また、家屋５０および増設部屋１は、それぞれ断熱処理が施されている。しかし、接続部２８については、断熱処理は施されていない。具体的には、家屋５０の構造躯体５６と接続枠１８との間である。そこで、この接続部２８には、別途の断熱処理を施すのが望ましい。
【００５４】
図８では、増設部屋１の側壁１２の断熱材１２ｖと、家屋５０側の内壁５８ｉの断熱材５８ｉｖとの間に断熱材２８ｓｖを設けたことを示している。また、図７を再度参照して、増設部屋１側の屋根１４の断熱材１４ｖと、家屋５０の垂れ壁６６の断熱材６６ｖとの間に断熱材２８ｕｖが設けられている。同様に増設部屋１の床１０の断熱材１０ｖと、家屋５０の床６４の断熱材６４ｖとの間にも断熱材２８ｄｖが設けられている。
【００５５】
このように、増設部屋１と家屋５０の間の接続部２８に断熱材２８ｖを設けることで、増設部屋１は居住空間としても、家屋５０の一部となる。なお、家屋５０側から電気およびガス（あるいは水道）の配管を、接続部２８の側部断熱材２８ｓｖを介して増設部屋１側に配置させることができる。これらの配線・配管は、増設部屋１の床１０、屋根１４、側壁１２中に配置させることができる。居住空間として家屋５０の一部となり、少なくとも電気が家屋５０側から供給され、増設部屋１の電気ソケットで電気を取り出せることができれば、居住環境としても家屋５０の一部になったと言える。
【産業上の利用可能性】
【００５６】
本発明に係る増設部屋は、短期間工程および低コストで床面積を増やすことができるので、増改築の際に有効に利用することができる。また、在来軸組工法の基本寸法（モジュール）に合わせた、すでに流通する規格サイズでの窓を想定し、汎用的な規模展開が可能である。
【符号の説明】
【００５７】
１  増設部屋
１０  床
１０ｓ  支持脚
１２  側壁
１２ｏ  接続開口部
１４  屋根
１４ｐ  屋根カバー
１６  増設部屋窓
１８  接続枠
１８ａ  突き当て接続面
１８ａｕ  屋根側突き当て接続面
１８ａｄ  床側突き当て接続面
１８ａｓ  側壁側突き当て接続面
１８ｂ  締結面、１８ｂｕ  締結面、１８ｂｄ  締結面、１８ｂｓ  締結面
１８ｒ  締結空間、１８ｒｕ  締結空間、１８ｒｄ  締結空間、１８ｒｓ  締結空間
１８ｕ  屋根側接続枠
１８ｄ  床側接続枠
１８ｓ  側壁側接続枠
２０  スペーサ
２０ｕ  上部スペーサ
２０ｄ  下部スペーサ
２０ｓ  側部スペーサ
２５  ボルト締結
２８  接続部
５０  家屋
５２  既存窓
５２ｆ  窓枠
５２ｇ  障子
５６  構造躯体
５６ａ  柱材
５６ｂ  梁材
５６ｃ  土台材
５８ｏ  外壁
５８ｉ  内壁
６０  基礎
６２  天井
６４  床
６６  垂れ壁
１０ｖ  断熱材、１２ｖ  断熱材、１４ｖ  断熱材、６２ｖ  断熱材、６４ｖ  断熱材
６６ｖ  断熱材、５８ｉｖ  断熱材、２８ｓｖ  断熱材、２８ｕｖ  断熱材
２８ｄｖ  断熱材、２８ｖ  断熱材
【図１】
2019100060.tif 000003
【図２】
2019100060.tif 000004
【図３】
2019100060.tif 000005
【図４】
2019100060.tif 000006
【図５】
2019100060.tif 000007
【図６】
2019100060.tif 000008
【図７】
2019100060.tif 000009
【図８】
2019100060.tif 000010